(57)【要約】      （修正有）【課題】使用者自身が自然体のままで担ぎ合いのような普段とは逆ベクトルのストレッチや各エクササイズを手軽で安全、スムーズに行える操作性の良い装置を提供する。【解決手段】背もたれ角度を調整可能な復元機構を配したリクライニング構造としその動支点を腰部辺とし器具との支持点であるグリップの保持操作により使用者自身が柔軟で安全な上体反り返りストレッチ他を実現する。【選択図】図１
2017196003.tif 000002
【特許請求の範囲】
【請求項１】
立位にて適意の曲面、部材で構成されたバックホルダーに後背をあてた両腕近傍に支持部を、かつ該ホルダーの腰腹辺任意箇所両サイドに横水平に直交するような軸心部を立設し、これをリクライニング自在に支持する両サイドに把持部を擁するフレームがあり、該フレームと背もたれ構成間の適宜位置にリクライニング角度を深めるにつれ漸増力する復元機構を配したことを特徴とするストレッチ運動器具。  
【請求項２】
バックホルダーに電動あるいは人力により任意に振、揺動を加えることを特徴とする請求項１記載のストレッチ運動器具。
【請求項３】
前記バックホルダーに正対面した際の腰高辺の両サイドフレーム支柱間に張架調整、着脱自在な腰間サポート具を配設したことを特徴とする請求項１および請求項２記載のストレッチ運動器具。 
【発明の詳細な説明】
【技術分野】
【０００１】
本発明は日常あるいはエクササイズ時におけるストレッチ、健康器具に関する。 
【背景技術】
【０００２】
従来、エクササイズフィールドの器具には腹筋強化目的のものが多く見られるが一方、二人が背中合わせに腕組みして持ち上げあう担ぎ合いのような逆ベクトルのストレッチ運動も姿勢の矯正目的や首や肩、背中の凝りをほぐしたり柔軟性を高めるために有効であり、こうした目的としては床置きのフォームローラー上で背をストレッチしたりゴロゴロとロールする等のものがある。 
【発明の開示】
【発明が解決しようとする課題】
【０００３】
こうしたストレッチ器具は、主に利用者が腰かけの状態から仰向けに背面の凸状ベンチベッドに反り返るものであり使用時に体勢の移動、気勢を求められ、またベンチベッドも固定化しているのが一般でストレッチの形態そのものに柔軟性が余り見られない。
【０００４】
本発明は、こうした現状に着目してなされたものであり、使用者が普段の立姿勢から何ら気負うことなく個々のニーズに合った先述の担ぎ合いのような四肢フリー可能な背腰筋伸ばしを自然かつコンパクトに安全に行えるとともに、マッサージや上肢の屈伸機能等を付加することで手軽、多機能なストレッチ、エクササイズ器具を提供するものである。  
【課題を解決するための手段】
【０００５】
上記目的を達成するために本発明の器具は受け面が背腰部をホールドする適宜形状のクッションホルダー２が背腰に対向し、左右に立設するフレーム１内に使用者の腰部辺を水平横軸心３としてリクライニングA可能に回動支持されている。
【０００６】
該フレ ーム１にはホルダー２に立位で背当てした使用者１０の前腕近辺のサイドにそれぞれ支持グリップ４を立設し、かつ該フレーム１とホルダー２構造体間にガススプリング５を介在させ、その作動様態は該ガススプリング５の最伸常態時をホルダーの待ち受け様側（図１）に供し、使用者１０が上体をホルダー２にもたれつ反らしリクライニングA度を深めるにつれ該ガススプリング５が短縮し反力すなわちバックホルダー２の常態位置への復元力Bが漸増するようになっている。
【０００７】
バックホルダー２のリクライニングA角度は適宜に調整可能としまたヘッドレスト６等を任意に設けている。
【０００８】
バックホルダー２に把持部位７をもうけ且つ該ホルダー２に正対峙した際に腰間を背面より渡架サポートし得る縄跳び兼用ロープ８やベルトを両サイドフレーム１間に長さ調整および着脱自在に配設。
【発明の効果】
【０００９】
以上の構成によると、使用者１０は自然体でバックホルダー２に背対し（図１）グリップ4を把持、腕を伸ばしつ背もたれホルダー2にもたれると腰部辺水平横軸心３中心に該バックホルダー2がリクライニングA回転する。すなわちオフィスワーカーが普段の装いのままあるいは女性や年配者のような体力弱者の使用者でもグリップ支持しつつ腰辺中心のコンパクトな反り返り（図３）が、簡単かつ安全に体位置低くコントロールして行なえる。
【００１０】
復帰装置によりバックホルダー２は使用前の自由常態時（図１）はほぼ縦立してその反発力も小さく上体を預けるリクライニングの初動が容易である。またリクライニングAの度を深めるごとに復元すなわち反発力Bが漸増し使用者が体を預ける負荷増と比例するので適宜な復力調整によりいずれの過程の反り返りからの戻り回帰動作も装置に助けられ容易かつスムーズに行える。
【００１１】
バックホルダー２の材質・形状、ヘッドレスト６の付設、リクライニングA角や復力等、種々選択調整は個別に可能であり使用者１０の体力、ニーズに沿った安全で余裕を持った肢体フリーが可能なストレッチが出来る。
【００１２】
ホルダー２には任意の部位に手動、電動等の手段にて振動やローリング等のマッサージ機能を任意かつ効果的に付加し得る。
【００１３】
装置の構造、復元形態を利用して多様なエクササイズ応用が可能である。例えばホルダー２に正向峙しベルトやロープ８等で背腰部をサポート（図６）することで、体躯に刺激を与えつホルダー２あるいは任意付設のハンドル７などを手がかりとした本器具内でのクローズドな左、右または両腕の屈伸運動Cが可能。また該ロープ８Aは、ヘッドピン１６、１６A等に巻き付け適宜な長さとし縄跳び用ロープ等に供用できる。また図９は凸設したハンドル７Aを使った上下の側肩腕運動Ｄ例である。
【００１４】
またフレーム１あるいは形状を変えたグリップ９上で腕を下伸し体を支えることで重力から解放された体幹伸ばし（図８）や足を曲げての上腕屈伸動（図７），グリップ４Aを把持した伏せ運動（図１０）等ができる。
【００１５】
使用者の体躯に合わせ器具高さを変えたり（図示せず）、可変高ベース、ブロック１８等を配設する。該ブロック１８は図１１のように昇降の運動にも応用できる。
【発明を実施するための最良の形態】
【００１６】
本発明の実施形態の一例を簡単に図示した図面をもとに説明すると、使用者１０の背腰部を受け止めるシートバック形状のホルダー２があり、そのリクライニングA動作を妨げることなく使用者両サイドに木製フレーム１を立設し、相互間の回動軸心３をホルダー２に背当てした使用者１０の腰央辺りとし（図１）て横水平に直交配設し且つ両サイドのフレーム各々にグリップ４を配設。
【００１７】
該ホルダーの背もたれ裏面１１とフレームの後方下部１２構造間にガススプリング５を仲介設。本器具の自由常態時にはガススプリング５が伸張した常態あるいは任意にストッパー（図示せず）にて背もたれ面を略直立に保持（図1）、リクライニング度を深める（図３）につれガススプリング５を短縮させるものとし、該ガススプリング５のホルダー２およびフレーム１へのそれぞれの取り付け位置１１，１２は任意に調整可能とする。
【００１８】
１３はリクライニング角度を随時調整するためのストッパーでありフレーム後方で上下に位置変え可能である。１４は衝撃を和らげるためのダンパーである
【００１９】
ホルダー２はその表面を背腰部をホールドするように、柔軟性をもたせたフレーム枠や適度のクッション性を擁するパッド樹脂、中空材、メッシュ材などの構成保材１５にて構成。任意にサイドシートを付設（図示せず）。
【００２０】
腰間高辺の左右フレーム１前外面に複数のヘッドピン１６を任意に配設、両端末を輪状１７にした縄ロープ８をこれに掛け左右間に張架着脱自在としてある（図６）。 
【００２１】
ホルダー２には一般のマッサージチェアに見られるように手、電動にて振動やローリング機能を任意箇所に付加しリラックス効果を持たせる。図５および図４-Cはホルダー２がリクライニング時にその一部をフレーム１に軸設した多角軸１６に接することで使用者自身がストレッチを行いつレバー１７の前後操作Eにより手軽に揺動を楽しめる一例である。またギヤー、歯付ベルトなどの変速機構を介在させれば多様な振動を得ることもできる。
【００２２】
ホルダー２の上端央には着脱、角度自在のヘッドレスト６を着脱自在に装備。
【００２３】
図７はフレーム材に金属パイプ1Aを採用した一例。またリクライニングの復元にガススプリング５を用いているが板ばねやねじりコイルばね等を用いてもよく、他にも例えば足が常に接地した反り返りなど各々の使用者に適した高さ調節機能を付加したり部位の着脱、保持構造などはその範囲を本例に限定することなくその要旨を踏まえ多様かつ有用な応用が考察されてよい。
【図面の簡単な説明】
【００２４】
【図１】本発明の一実施形態による装置常態時の簡略側面図である。
【図２】本発明の一実施形態による装置常態時の簡略平面図である。
【図３】本発明の一実施形態によるリクライニング時の簡略側面図である。
【図４】本発明の一実施形態によるリクライニング時の簡略平面図である。
【図５】本発明の一実施形態によるリクライニング時の簡略側面図である。
【図６】本発明実施形態の別例側面図である。
【図７】本発明実施形態の別例側面図である。
【図８】本発明実施形態の別例側面図である。
【図９】本発明実施形態の別例側面図である。
【図１０】本発明実施形態の別例側面図である。
【図１１】本発明実施形態の別例側面図である。
【符号の説明】
【００２５】
１      フレーム
２      ホルダー
４      グリップ
５      ガススプリング
６      ヘッドレスト
８      ロープ
【図１】
2017196003.tif 000003
【図２】
2017196003.tif 000004
【図３】
2017196003.tif 000005
【図４】
2017196003.tif 000006
【図５】
2017196003.tif 000007
【図６】
2017196003.tif 000008
【図７】
2017196003.tif 000009
【図８】
2017196003.tif 000010
【図９】
2017196003.tif 000011
【図１０】
2017196003.tif 000012
【図１１】
2017196003.tif 000013